(57)【特許請求の範囲】
【請求項１】
互いに連結しようとするパネルの側端面同士、またはパネルと支柱との対向面同士に、開口幅を奥部の幅より小とした上下方向を向く複数の嵌合溝を互いに離間させてそれぞれ設け、互いに対向させた複数対の嵌合溝同士に、前記開口幅とほぼ同一かまたはわずかに小幅とした連結片の両端に、各嵌合溝の奥部に嵌合しうる拡幅部を有する連結具における差し込み部を、その拡幅部が各嵌合溝の奥部に、かつ連結片が嵌合溝の開口部にそれぞれ差し込まれるようにして嵌合するとともに、前記差し込み部の一端に、それより広幅の鍔部を連設し、この鍔部を、パネルまたは支柱の上下いずれかの端面に当接することにより、両パネルまたはパネルと支柱とを連結したことを特徴とするパネル連結装置。
【請求項２】
パネルまたは支柱の上下いずれかの端面に当接した鍔部の外側を、パネルまたは支柱に固着したカバーにより覆った請求項１記載のパネル連結装置。
【請求項３】
差し込み部における連結片の中央より一方の拡幅部側のみの上下いずれかの端面に鍔部を設け、この鍔部を一方のパネルまたは支柱の上下いずれかの端面のみに当接し、差し込み部における連結片の中央より他方の拡幅部側を、他方のパネルまたは支柱の嵌合溝に上下方向に摺動自在に嵌合した請求項１または２記載のパネル連結装置。
【請求項４】
パネルまたは支柱における嵌合溝の近くに、嵌合溝より抜き取った連結具を収容する空所を設けた請求項１〜３のいずれかに記載のパネル連結装置。
【請求項５】
パネルの側端に上下方向を向くフレームを設け、このフレームの側端面における前半部の中央と後半部の中央とに、上下方向を向く２条の嵌合溝を設け、かつフレームの前記側端面に隣接する前後の側面におけるコーナー部から側端面の最も近い嵌合溝までの距離と等距離の部分にそれぞれ１条の嵌合溝を設けた請求項１〜４のいずれかに記載のパネル連結装置。
【請求項６】
フレームの側端面と前後の面との幅の比率をほぼ２対１とし、連結具における鍔部の形状を、前記フレームの平面形状とほぼ同一の長方形とし、前記鍔部を、その長軸がフレームの長軸と同一方向を向くようにして、フレームの上下いずれかの端面に当接させた状態で、差し込み部を空所内に収容しうるようにした請求項５記載のパネル連結装置。
【請求項７】
鍔部の上下外側の面に複数の突部を設け、かつ鍔部に対向するカバーの対向面に、前記突部が嵌合しうる複数の凹部を設けた請求項６記載のパネル連結装置。
【請求項８】
嵌合溝の奥部の断面形状を、ほぼ直角二等辺三角形とし、その底辺の中央に相当する部分に開口部を形成した請求項１〜７のいずれかに記載のパネル連結装置。
【請求項９】
空所を、フレームのパネル側の縁に底辺が位置し、かつ頂角がフレームの外側の縁の中央に位置するほぼ直角二等辺三角形とし、フレームの外側のコーナー部に、開口部が外側方と前後いずれかの方向を向く２個の嵌合溝の小寸の直角二等辺三角形の奥部が互いに隣接して配設されるようにした請求項８記載のパネル連結装置。
【請求項１０】
支柱の断面形状を、正方形の外形の内部に、正方形の空所が４５度だけ位相をずらして外形の正方形に内接するような関係で設けられ、かつ各コーナー部に、開口部が各コーナー部に隣接する側面に開口する２個の嵌合溝における小寸の直角二等辺三角形の奥部が互いに隣接するように配設されたものとした請求項１〜９のいずれかに記載のパネル連結装置。
【発明の詳細な説明】
【０００１】
【発明の属する技術分野】
本発明は、パネルの側端面同士、またはパネルと支柱との対向面同士を互いに連結するパネル連結装置に関する。
【０００２】
【従来の技術】
従来のこの種のものとしては、例えばパネルのフレーム同士、またはパネルのフレームと支柱とを、それらを貫通するボルトやその他の締付け手段をもって互いに連結するか、または、それらの上端同士(及び下端同士)を、直線状、Ｌ字状、Ｔ字状、または十字状等の連結金具と止めねじ等をもって互いに固着するのが一般的である。
【０００３】
【発明が解決しようとする課題】
しかし、上述のような従来のパネル連結手段では、部品点数が多い上に、構造が複雑であったり、連結作業が繁雑である等の問題がある。
【０００４】
本発明は、従来の技術が有する上記のような問題点に鑑み、部品点数が少なく、構造及び組付け作業が簡単で、安価に製造できるようにしたパネル連結装置を提供することを目的としている。
【０００５】
【課題を解決するための手段】
本発明によると、上記課題は次のようにして解決される。
(１) 互いに連結しようとするパネルの側端面同士、またはパネルと支柱との対向面同士に、開口幅を奥部の幅より小とした上下方向を向く複数の嵌合溝を互いに離間させてそれぞれ設け、互いに対向させた複数対の嵌合溝同士に、前記開口幅とほぼ同一かまたはわずかに小幅とした連結片の両端に、各嵌合溝の奥部に嵌合しうる拡幅部を有する連結具における差し込み部を、その拡幅部が各嵌合溝の奥部に、かつ連結片が嵌合溝の開口部にそれぞれ差し込まれるようにして嵌合するとともに、前記差し込み部の一端に、それより広幅の鍔部を連設し、この鍔部を、パネルまたは支柱の上下いずれかの端面に当接することにより、両パネルまたはパネルと支柱とを連結する。
【０００６】
(２) 上記(１)項において、パネルまたは支柱の上下いずれかの端面に当接した鍔部の外側を、パネルまたは支柱に固着したカバーにより覆う。
【０００７】
(３) 上記(１)または(２)項において、差し込み部における連結片の中央より一方の拡幅部側のみの上下いずれかの端面に鍔部を設け、この鍔部を一方のパネルまたは支柱の上下いずれかの端面のみに当接し、差し込み部における連結片の中央より他方の拡幅部側を、他方のパネルまたは支柱の嵌合溝に上下方向に摺動自在に嵌合する。
【０００８】
(４) 上記(１)〜(３)項のいずれかにおいて、パネルまたは支柱における嵌合溝の近くに、嵌合溝より抜き取った連結具を収容する空所を設ける。
【０００９】
(５) 上記(１)〜(４)項のいずれかにおいて、パネルの側端に上下方向を向くフレームを設け、このフレームの側端面における前半部の中央と後半部の中央とに、上下方向を向く２条の嵌合溝を設け、かつフレームの前記側端面に隣接する前後の側面におけるコーナー部から側端面の最も近い嵌合溝までの距離と等距離の部分にそれぞれ１条の嵌合溝を設ける。
【００１０】
(６) 上記(５)項において、フレームの側端面と前後の面との幅の比率をほぼ２対１とし、連結具における鍔部の形状を、前記フレームの平面形状とほぼ同一の長方形とし、前記鍔部を、その長軸がフレームの長軸と同一方向を向くようにして、フレームの上下いずれかの端面に当接させた状態で、差し込み部を空所内に収容しうるようにする。
【００１１】
(７) 上記(６)項において、鍔部の上下外側の面に複数の突部を設け、かつ鍔部に対向するカバーの対向面に、前記突部が嵌合しうる複数の凹部を設ける。
【００１２】
(８) 上記(１)〜(７)項のいずれかにおいて、嵌合溝の奥部の断面形状を、ほぼ直角二等辺三角形とし、その底辺の中央に相当する部分に開口部を形成する。
【００１３】
(９) 上記(８)項において、空所を、フレームのパネル側の縁に底辺が位置し、かつ頂角がフレームの外側の縁の中央に位置するほぼ直角二等辺三角形とし、フレームの外側のコーナー部に、開口部が外側方と前後いずれかの方向を向く２個の嵌合溝の小寸の直角二等辺三角形の奥部が互いに隣接して配設されるようにする。
【００１４】
(１０) 上記(１)〜(９)項のいずれかにおいて、柱の断面形状を、正方形の外形の内部に、正方形の空所が４５度だけ位相をずらして外形の正方形に内接するような関係で設けられ、かつ各コーナー部に、開口部が各コーナー部に隣接する側面に開口する２個の嵌合溝における小寸の直角二等辺三角形の奥部が互いに隣接するように配設されたものとする。
【００１５】
【発明の実施の形態】
図１〜図５は、本発明の第１の実施形態を用いて、２枚のパネルを直線状に連結する場合の例を示す。
各パネル(１)の両側端(一方の側端のみを図示する)には、上下方向の長さをパネル(１)より若干短くした側部フレーム(フレーム)(２)が、その内端面より突出する取付片(2a)(図４及び図５参照)をパネル(１)の側端面に嵌合して、適宜ねじ止めすることにより、固着されている。
【００１６】
この側部フレーム(２)の横断面形状は、図４に示すような形状をしている。
すなわち、側端面の前後方向の幅と、全面及び後面の左右方向の幅との比を、２対１とした長方形の外形をなし、その内部に、側端面の前後幅に近い長さの底辺がパネル(１)寄りに位置する直角二等辺三角形の空所(３)が形成されている。
【００１７】
また、側部フレーム(２)における前半部の中央と、後半部の中央と、前面の中央と、後面の中央とには、奥部(4a)が直角二等辺三角形をなし、開口部(4b)がその直角二等辺三角形の底辺の中央に位置するスリット状をなす上下方向を向く嵌合溝(４)がそれぞれ設けられている。
【００１８】
連結具(５)は、長方形の板状の鍔部(６)と、その上面に突設された鍔部(６)の長手方向に並ぶ２個の切頭四角錐形の突部(７)(７)と、鍔部(６)の下面中央より垂下する差し込み部(８)とからなっている。
【００１９】
鍔部(６)の長軸及び短軸の長さは、側部フレーム(２)の前後幅及び左右幅とほぼ同一(この例では、短軸を側部フレーム(２)の左右幅より若干短くしてある)としてある。
【００２０】
差し込み部(８)は、側部フレーム(２)における各嵌合溝(４)の開口部(4b)開口幅とほぼ同一かまたはわずかに小とした板状の連結片(９)の両端に、各嵌合溝(４)の奥部(4a)の形状と補形をなす直角二等辺三角形の拡幅部(10)を連設したものよりなっている。連結片(９)の向きは、鍔部(６)の長軸の向きと同一としてある。
【００２１】
パネル(１)の上端には、その左右方向の長さより、若干短い上部カバー(11)が着脱自在に設けられている。
また、パネル(１)の上部両側端部には、正面形がほぼＬ字状をなすコーナーカバー(カバー)(12)が、止めねじ(13)をもって着脱自在に固着されている。
【００２２】
図３に示すように、パネル(１)の側端に、他のパネル(１)や、後述する支柱等を連結せずに、パネル(１)を単独で使用する場合には、連結具(５)の差し込み部(８)を、図４に想像線で示すように、空所(３)内に上方より挿入し、かつ鍔部(６)を、その長軸が前後方向を向くようにして、側部フレーム(２)の上端に当接させて、その上方からコーナーカバー(12)で覆うことにより、鍔部(６)の前後面と外側面とが側部フレーム(２)及びコーナーカバー(12)の垂下部(12a)の外周面と整合した状態で、連結具(５)を体裁よくパネル(１)に装着しておくことができる。
【００２３】
コーナーカバー(12)の垂下部(12a)の下面には、図３図示の向きとしたときの連結具(５)の２個の突部(７)(７)が嵌合する２個の凹部(図示略)と、同じく連結具(５)の鍔部(６)とパネル(１)の外側面との間の間隙内に進入する下向突部(12b)とが設けられている。
【００２４】
図１、図４、及び図５に示すように、２枚のパネル(１)(１)を、直線状に連結する場合は、それらの対向するコーナー部のコーナーカバー(12)と連結具(５)とをパネル(１)からそれぞれ外し、隣接する側部フレーム(２)の側端面同士を、図４に示すように互いに突き合わせ、そのときに対向する２対の嵌合溝(４)(４)に、パネル(１)から外しておいた上記２個の連結具(５)(５)を、その鍔部(６)の長軸が左右方向を向くようにして、差し込み部(８)を、その拡幅部(10)が各嵌合溝(４)の奥部(4a)に、かつ連結片(９)が各嵌合溝(４)の開口部(4b)にそれぞれ嵌合するようにして上方より差し込み、さらにその上方から、各パネル(１)のコーナー部に、コーナーカバー(12)を、それぞれ元の状態と同様にして装着する。
【００２５】
このとき、各コーナーカバー(12)の垂下部(12a)の下面における前後の凹部には、左右方向を向いた前後の連結具における左方の突部(７)(７)同士、及び右方の突部(７)(７)同士が、図３図示の場合とは異なる態様で、それぞれ嵌合し、各連結具(５)の位置決めがなされるとともに、鍔部(６)が、各コーナーカバー(12)の垂下部(12a)の下面と、側部フレーム(２)の上端との間に挟まれて、各連結具(５)が強固に保持される。
【００２６】
各コーナーカバー(12)の下向突部(12b)は、左右方向を向いた連結具(５)の鍔部(６)の側端と、パネル(１)の外側端とのとの間に進入し、空隙が外部に露呈しないように閉塞して、美麗な外観を呈することができる。
【００２７】
図７及び図８は、３枚のパネル(１)を、平面視Ｔ字状をなすように連結する場合のものを示す。
この例では、左右のパネル(１)の側端面同士を互いに突き合わせるとともに、その突き当て部の後方から、さらに前後方向に向けた別のパネル(１)の前端を突き当て、それらのパネル(１)から予め外しておいた３個の連結具(５)のうちの１個を、左右方向に向けて、左右のパネル(１)の前部同士を、図５に示す前方の連結具(５)と同様にして連結し、残りの２個の連結具(５)(５)を、前後方向に向けて、互いに平行をなすようにして、それらの差し込み部(８)を、後方のパネル(１)の前端に位置する２個の嵌合溝(４)(４)と、それらに対向する左右のパネル(１)の後面に位置する嵌合溝(４)とに跨るようにして差し込むことにより、３枚のパネル(１)を、平面視Ｔ字状をなすように連結してある。
【００２８】
このときの各連結具(５)の差し込み部(８)と、各側部フレーム(２)の嵌合溝(４)との関係を、図７に示してある。
【００２９】
３個の連結具(５)の差し込み作業の終了後に、各コーナーカバー(12)を元通りに装着すると、３個の連結具(５)の上面は、すべて覆われ、かつ連結具(５)における鍔部(６)は、各コーナーカバー(12)の垂下部(12a)の下面と、側部フレーム(２)の上端との間に挟まれて、強固に保持される。
【００３０】
なお、図７及び図８に示すＴ字状の連結構造から、さらに、それらの連結部の前方より、前後方向に向けたパネル(１)の後端を突き当てて、前後方向を向く後方のパネル(１)と同様の連結構造をもって左右のパネル(１)(１)と連結することにより、４枚のパネル(１)を、十字状に連結できることは、図示するまでもなく、容易に理解しうると思われる。
【００３１】
また、上述の構成のうち、いずれか１個のパネル(１)を、その側部フレーム(２)と同一の断面形状を有する支柱(図示略)と置き換えることにより、同一の連結構造をもって、パネル(１)と支柱とを連結できることも明かである。
【００３２】
図９〜図１３は、上述の連結具(５)とは異なる連結具を用いた本発明の第２の実施形態を示す。なお、上述したのと同一の構成部材には、同一の符号を付して図示するに止め、それらについての詳細な説明は省略する。
【００３３】
この例では、連結具(14)は、図１１に示すように、上述したのと同一の鍔部(６)と、２個の突部(７)(７)とを備え、さらに、断面形状は上述の差し込み部(８)と同一であるが、鍔部(６)との連結部が上述のものとは異なる２個の差し込み部(15)(15)を備えている。
【００３４】
すなわち、２個の差し込み部(15)(15)は、その連結片(９)の中央より一方の拡幅部(10)側が鍔部(６)の下方に位置し、かつ連結片(９)の中央より他方の拡幅部(10)側が平面視において鍔部(６)の側縁より外方に突出するようにして、鍔部(６)の外側面の前半部の中央と、後半部の中央とにそれぞれ連設されている。
【００３５】
支柱(16)は、一辺がパネル(１)の側部フレーム(２)の側端面の前後幅と同一の正方形の断面形状をなし、その中央に、側部フレーム(２)における三角形の空所(３)を２個背中合わせに連結したのと同様の正方形の空所(17)が、外形の正方形に対して４５度だけ位相をずらしてほぼ内接するような関係で設けられている。
【００３６】
空所(17)の中央には、支柱(16)を支持する支持軸や、キャップを装着するためのねじ、またはアジャスタボルト等(いずれも図示略)を結合するための平面視Ｃ字状の芯部(18)が、空所(17)のコーナー部から中心に向かって炎出する腕片(19)の先端に連設されて配設されている。
【００３７】
支柱(16)の各面には、それぞれ２個ずつの上述と同様の嵌合溝(４)(４)が、側部フレーム(２)の側端面における２個の嵌合溝(４)(４)と同一の態様で設けられている。
【００３８】
図９〜図１３は、支柱(16)の隣接する２面に、上述と同様のパネル(１)をそれぞれ連結する場合の例を示すもので、この場合には、支柱(16)のそれらの２面に、パネル(１)の側部フレーム(２)の側端面それぞれ突き合わせ、そのときに対向する２個ずつの嵌合溝(４)(４)の上方から、連結具(５)における各差し込み部(15)を、その拡幅部(10)が各嵌合溝(４)の奥部(4a)に、かつ連結片(９)が各嵌合溝(４)の開口部(4b)にそれぞれ嵌合するようにして上方より差し込む。
【００３９】
このとき、連結具(14)における鍔部(６)は、その長軸が各パネル(１)の側端面と平行となる方向を向く。
【００４０】
その後、その上方から、各パネル(１)のコーナー部に、コーナーカバー(12)を装着し、止めねじ(13)をもってパネル(１)に固着すると、各連結具(14)の鍔部(６)は、コーナーカバー(12)の垂下部(12a)の下面と、側部フレーム(２)の上端とにより挟まれて、強固に保持される。
この状態を、図１０に示す。
【００４１】
この例では、支柱(16)を介して２枚のパネル(１)(１)をＬ字状に連結したが、支柱(16)の残りの２面に他のパネルをそれぞれ同様にして連結することにより、３枚のパネル(１)をＴ字状に連結したり、４枚のパネル(１)を十字状に連結したりすることができる。
【００４２】
また、この第２の実施形態においては、各パネル(１)の側端面から、連結具(14)における２個の差し込み部(15)の半部が外側にそれぞれ突出しているので、それを支柱(16)の対向する面の２個の嵌合溝(４)(４)に上下方向に摺動自在に嵌合することにより、図１４に示す右方のパネル(１)のように、そのパネル(１)より高さの高い支柱(16)に、そのパネル(１)を連結することができる。
そのときの連結具(14)と各パネル(１)の側部フレーム(２)との関係を、図１５に示してある。
【００４３】
上述したように、空所(３)(17)や嵌合溝(４)の奥部(4a)の形状を、直角二等辺三角形または正方形とすると、側部フレーム(２)や支柱(16)の断面形状を、無駄な空隙部分や厚肉部分がなく、最小の断面積で、最大の強度を得ることができる。
【００４４】
しかし、上述した基本的な作用及び効果を得るだけでよい場合は、空所(３)(17)や嵌合溝(４)の奥部(4a)の形状は、他の形状、例えば円形、長円形、台形等とすることもできる。
【００４５】
また、以上の説明は、いずれもパネル(１)の上部の連結についてのものであるが、パネル(１)の下部については、上述したのと上下対称の構造をもって連結するのが好ましい。しかし、パネル(１)の下部を、上述のものとは異なる連結構造をもって連結してもよい。
【００４６】
【発明の効果】
請求項１記載の発明によると、パネルの側端面同士、またはパネルと支柱との対向面同士を互いに突き合わせて、対向する複数対の嵌合溝同士に、上端または下端から連結具における差し込み部を、その拡幅部が各嵌合溝の奥部に、かつ連結片が嵌合溝の開口部にそれぞれ差し込まれるようにして嵌合するだけで、パネル同士またはパネルと支柱とを、簡単かつ確実に連結することができる。
また、パネルの側端面同士、またはパネルと支柱との対向面同士は、その対向面の複数箇所で連結具により結合されるので、曲げや捩じれに対して強く、大きな結合強度が得られる。
しかも、パネル及び支柱に予め嵌合溝を形成しておけば、必要な部品は１種類の連結具のみでよいので、部品点数が少なく、構造を簡素化でき、安価に製造できる。
さらに、差し込み部の一端に、それより広幅の鍔部を連設し、この鍔部を、パネルまたは支柱の上下いずれかの端面に当接してあるので、差し込み部が嵌合溝に深く進入するのが阻止される。
【００４７】
請求項２記載の発明によると、鍔部がカバーにより覆われることにより、差し込み部が嵌合溝から抜け出すのが阻止され、連結具は、がたつき等が生じることなく、確実に保持される。しかも、連結具はカバーにより覆われるので、体裁がよい。
【００４８】
請求項３記載の発明によると、連結具の鍔部を高さの低い方のパネルの上端に当接し、鍔部より外側方に突出する差し込み部の半部を、高さの高いパネルまたは支柱に設けた嵌合溝に摺動自在に嵌合することにより、高さの異なるパネル同士またはパネルと支柱との連結にも適用することができる。
【００４９】
請求項４記載の発明によると、連結具の不使用時に、連結具をパネルまたは支柱の空所に収容しておくことにより、連結具が紛失することがない。
【００５０】
請求項５記載の発明によると、互いに一直線状に連結した２個のパネルの連結片に、別のパネルをそれらと直交するように連結することができ、Ｔ字状、または十字状のパネルの連結が可能となる。
【００５１】
請求項６記載の発明によると、連結具の差し込み部を空所内に収容したとき、連結具の鍔部の外周面がフレームの外周面と整合し、美麗な外観を呈することができる。
【００５２】
請求項７記載の発明によると、連結具の突部が、カバーの凹部に嵌合することにより、連結具の位置決めがなされるとともに、連結具がより確実にパネルに保持される。
【００５３】
請求項８記載の発明によると、連結具の拡幅部が、嵌合溝の開口部から抜け出すのを確実に阻止することができるとともに、請求項９以下の構成と組み合わせることにより、フレームの断面形状における嵌合溝のレイアウトを最適なものとすることができる。
【００５４】
請求項９及び１０記載の発明によると、フレーム及び支柱の断面形状における空所と嵌合溝とのレイアウトを最適なものとすることができ、最小の断面積で、最大の強度を得ることができる。
【図面の簡単な説明】
【図１】本発明の第１の実施形態を用いて、２枚のパネルを直線状に連結する途中の状態を示す分解斜視図である。
【図２】同じく、連結後の状態を示す斜視図である。
【図３】同じく、１枚のパネルを単独で用いる場合のコーナー部の分解斜視図である。
【図４】同じく、連結部分の側部フレームと連結具の差し込み部との関係を示す横断平面図である。
【図５】同じく、連結部分の側部フレームと連結具の鍔部との関係を模式的に示す横断平面図である。
【図６】同じく、連結具の拡大斜視図である。
【図７】本発明の第１の実施形態を用いて、３枚のパネルをＴ字状に連結したときの連結部分の側部フレームと連結具の鍔部との関係を模式的に示す横断平面図である。
【図８】同じく、連結部分の側部フレームと連結具の鍔部との関係を模式的に示す横断平面図である。
【図９】本発明の第２の実施形態を用いて、支柱と２枚のパネルとをＬ字状に連結する途中の状態を示す連結部分の分解斜視図である。
【図１０】同じく、連結後の状態を示す斜視図である。
【図１１】同じく、第２の実施形態における連結具の拡大斜視図である。
【図１２】同じく、第２の実施形態における連結部分の側部フレームと連結具の差し込み部との関係を模式的に示す横断平面図である。
【図１３】同じく、第２の実施形態における連結部分の側部フレームと連結具の鍔部との関係を模式的に示す横断平面図である。
【図１４】本発明の第２の実施形態を用いて、支柱と高さの異なる２枚のパネルとをＬ字状に連結した連結部分の分解斜視図である。
【図１５】本発明の第２の実施形態を用いて、高さの異なる２枚のパネル同士を連結したときの連結部分の側部フレームと連結具の差し込み部との関係を模式的に示す横断平面図である。
【符号の説明】
(１)パネル
(２)側部フレーム(フレーム)
(2a)取付片
(３)空所
(４)嵌合溝
(５)連結具
(６)鍔部
(７)突部
(８)差し込み部
(９)連結片
(10)拡幅部
(11)上部カバー
(12)コーナーカバー(カバー)
(12a)垂下部
(12b)下向突部
(13)止めねじ
(14)連結具
(15)差し込み部
(16)支柱
(17)空所
(18)芯部
(19)腕片
【図１】
0003875538.tif 000002
【図２】
0003875538.tif 000003
【図３】
0003875538.tif 000004
【図４】
0003875538.tif 000005
【図５】
0003875538.tif 000006
【図６】
0003875538.tif 000007
【図７】
0003875538.tif 000008
【図８】
0003875538.tif 000009
【図９】
0003875538.tif 000010
【図１０】
0003875538.tif 000011
【図１１】
0003875538.tif 000012
【図１２】
0003875538.tif 000013
【図１３】
0003875538.tif 000014
【図１４】
0003875538.tif 000015
【図１５】
0003875538.tif 000016